(57)【要約】【課題】安全性に優れるとともに、開閉動作を繰り返しても軸ピンが抜け落ちることがなく、耐久性に優れるハンドル装置を提供するハンドル装置を提供する。【解決手段】扉の表面に当接する取付面２４を備えたハンドル本体１０の表側に、手前方向に引き起こし可能に取手１１を枢着し、この取手１１とリンク機構を介して連結された係止爪１３が箱本体１の係止片１４を締め付けクランプするハンドル装置である。リンク機構の軸ピン１２、１４を取付面２４よりも内側に設けた。また、軸ピン１２、１４の端部が扉のパネルによって抜け止めされ、開閉動作を繰り返しても軸ピン１２、１４が抜け落ちることがないようにした。【選択図】図７
2013159901.tif 000002
【特許請求の範囲】
【請求項１】
扉の表面に当接する取付面を有するハンドル本体の表側に、手前方向に引き起こし可能に取手を枢着し、この取手とリンク機構を介して連結された係止爪が箱本体の係止片を締め付けクランプするハンドル装置であって、前記リンク機構の軸ピンを前記取付面よりも内側に設けたことを特徴とするハンドル装置。
【請求項２】
前記軸ピンの端面が扉のパネルにより抜け止めされる構造としたことを特徴とする請求項１に記載のハンドル装置。
【請求項３】
前記軸ピンを受ける軸孔の取付面側の形状を、該取付面と平行面としたことを特徴とする請求項１または２に記載のハンドル装置。
【請求項４】
前記軸孔の全体形状を、取付面側に広がる山形としたことを特徴とする請求項３に記載のハンドル装置。
【発明の詳細な説明】
【技術分野】
【０００１】
本発明は、電気電子機器収納用キャビネット等の扉の鎖錠に用いられるハンドル装置に関するものである。
【背景技術】
【０００２】
電気電子機器収納用キャビネット等の扉の鎖錠装置として、特許文献１、特許文献２に示されるようなリンク式のハンドル装置が広く用いられている。リンク式のハンドル装置は、ハンドル本体の表側に枢着された取手を操作することにより、裏面側の係止爪がリンクプレートを介して箱本体の係止片を締め付けクランプする構造であり、強固な締付け力を得ることができるので扉を箱本体に強く密着させることができ、優れた防水性を確保できる利点がある。
【０００３】
このようなリンク式のハンドル装置は、取手がハンドル本体から引き起こされるように回動し、それと同時に係止爪もリンク機構を介して回動されるものである。リンク機構を構成する取手及び係止爪は軸ピンによってハンドル本体に枢着されている。
【０００４】
従来のハンドル装置においては、これらの軸ピンは扉への取付面よりも外側に露出する部分に設けられており、ハンドル本体の側方から軸ピンを圧入して組み立てられていた。すると、軸ピンの端部が扉への取付面よりも外側に露出する部分に設けられているため、操作の際に指先に接触する可能性があった。また、数万回の開閉動作により圧入部が次第に緩み、軸ピンが外れる可能性があった。
【先行技術文献】
【特許文献】
【０００５】
【特許文献１】特許第３５６０３２３号公報
【特許文献２】特開２０１１−１６８９８６号公報
【発明の開示】
【発明が解決しようとする課題】
【０００６】
従って本発明の主な目的は上記した従来の問題点を解決し、安全性に優れるとともに、開閉動作を繰り返しても軸ピンが抜け落ちることがなく、耐久性に優れるハンドル装置を提供することである。
【課題を解決するための手段】
【０００７】
上記の課題を解決するためになされた本発明は、扉の表面に当接する取付面を有するハンドル本体の表側に、手前方向に引き起こし可能に取手を枢着し、この取手とリンク機構を介して連結された係止爪が箱本体の係止片を締め付けクランプするハンドル装置であって、前記リンク機構の軸ピンを前記取付面よりも内側に設けたことを特徴とするものである。
【０００８】
なお請求項２のように、軸ピンの端面が扉のパネルにより抜け止めされる構造とすることが好ましい。
【０００９】
また請求項３のように軸ピンを受ける軸孔の取付面側の形状を、該取付面と平行面とすることが好ましく、さらに請求項４のように、軸孔の全体形状を取付面側に広がる山形とすることが好ましい。
【発明の効果】
【００１０】
本発明のハンドル装置は、従来と同様に扉を箱本体に締め付けクランプすることができるものであるが、従来とは異なりリンク機構の軸ピンが取付面よりも内側に設けられておりハンドル装置の表面に露出しない。このため、美観及び安全性に優れ、また、軸ピンの端部が扉のパネルによって抜け止めされるようにしたものでは  開閉動作を繰り返しても軸ピンが抜け落ちることがなく、耐久性に優れる利点がある。
【図面の簡単な説明】
【００１１】
【図１】本発明のハンドル装置を電気電子機器収納用キャビネットに取付けた状態を示す斜視図である。
【図２】ハンドル取付位置における縦断面図である。
【図３】取手を閉じた状態の斜視図である。
【図４】取手を閉じた状態の正面図である。
【図５】取手を引き起こした状態の斜視図である。
【図６】取手を引き起こした状態の正面図である。
【図７】扉への取付状態を示す断面図である。
【図８】軸孔を円形孔とした状態を示す要部拡大図である。
【図９】軸孔の取付面側の形状を該取付面と平行面とした状態を示す要部拡大図である。
【図１０】軸孔の全体形状を取付面側に広がる山形とした状態を示す要部拡大図である。
【図１１】係止爪の位置を示す正面図である。
【図１２】引き起こし角度規制部を示す斜視図である。
【発明を実施するための形態】
【００１２】
以下に本発明の好ましい実施形態を示す。
図１は本発明のハンドル装置を電気電子機器収納用キャビネットに取付けた状態を示す斜視図であり、図２はハンドル取付位置における縦断面図である。これらの図において、１は電気電子機器収納用キャビネットの箱本体、２はその扉である。図１に示すように、扉２は左側を蝶番３により箱本体１に枢着された右開き扉である。扉２の右端部には本発明の縦長のハンドル装置が、上下方向に取付けられている。また箱本体１の右端部にはハンドル装置のための係止片４が設けられている。
【００１３】
図３から図６に本発明のハンドル装置の構造を示す。これらの図において、１０は扉に固定される縦長のハンドル本体である。ハンドル本体１０は角枠状のもので、取手１１が手前方向に引き起こし可能に枢着されている。取手１１を枢着している軸ピン１２はハンドル本体１０の上端付近にある。またハンドル本体１０の裏面側には、係止爪１３が下向きに設けられている。係止爪１３はその上部を軸ピン１４によってハンドル本体１０に枢着されている。なおこの軸ピン１２と軸ピン１４の位置については後述する。
【００１４】
図４に示されるように、取手１１の裏面と係止爪１３とは、リンクプレート１５によって連結されてリンク機構を構成している。すなわち、取手１１とリンクプレート１５とはリンクピン１７により連結され、リンクプレート１５と係止爪１３とはリンクピン１８により連結されている。図５、図６のように取手１１を手前方向に引き起すと、リンクプレート１５が係止爪１３を上方に回転させる。逆に図３、図４のように取手１１をハンドル本体１０側に倒すと、リンクプレート１５が係止爪１３を下方に回転させ、図２に示したように係止爪１３は箱本体１の係止片４を上方から挟みつけるように締め付けクランプする。
【００１５】
このためクランプ操作の際には、ハンドル装置は箱本体１の係止片４から上向きの反力を受け、ハンドル装置が固定されている扉２は箱本体１に対して押し上げられる。従って従来のような扉２の垂れ下がり防止用の部品を設ける必要がなくなる。
【００１６】
次に図７以下を参照しつつ、軸ピン１２と軸ピン１４の位置について説明する。
図７は扉２のパネル２３にハンドル装置を取付けた状態を示す断面図である。パネル２３には、予めハンドル装置取付用の角孔が形成されており、ハンドル本体１０の後面が扉２の表面に当接する取付面２４である。図７のようにハンドル本体１０を扉２のパネル２３に取付けたとき、リンク機構の軸ピン１２と軸ピン１４はハンドル本体１０の取付面２４よりも内側（扉２の内側）に位置する。
【００１７】
このような構造とすることにより、リンク機構の軸ピン１２や軸ピン１４はハンドル装置の表面に現れなくなり、美観に優れるとともに、突出部分がなくなるので、安全性も向上する。
【００１８】
また、電気機器収納用箱においては扉２のパネル２３として、１〜２ｍｍ程度の厚さの鋼板や樹脂板を使用すること多いが、図７のように軸ピン１２や軸ピン１４の端面の一部がこの板厚部分に当たるようにしておけば、軸ピン１２、１４の端部はパネル２３によって確実に抜け止めされ、繰り返し使用しても脱落するおそれがなくなる。また、扉のパネルの板厚部分と軸ピン１２、１４とは常に当接してなくても、リンク機構が外れない程度の位置で軸ピン１２、１４がこの板厚部分に当たるようにしておけばよいものである。
【００１９】
このような抜け止め効果を確実にするためには、軸ピン１２や軸ピン１４を受けるハンドル本体１０の軸孔２５の位置を、できるだけ取付面２４に接近させておくことが好ましいが、取付面２４と軸孔２５を接近させると、ハンドル本体１０を成形するための金型に肉薄で強度の弱い箇所ができてしまうので好ましくない。そこで、図８に示すように取付面２４と軸孔２５とを1ｍｍ以下程度の間隔をもたせたものでは、軸ピン１２や軸ピン１４の端面の一部がパネル２３の板厚部分に当たりつつ、金型に弱い箇所も生まれないものである。
【００２０】
また、図９のように、取付面２４と軸孔２５を接近させたものとしても、  軸孔２５の取付面２４側の形状を取付面２４と平行面としておくことが好ましい。この軸孔２５の取付面２４側の形状を取付面２４と平行面としたものは、図８のようにパネルの板厚分以下の間隔を設けたものでもよいし、図９,１０のように  同一平面としたものでもよい。さらに軸孔２５の形状を図１０のように取付面２４側に広がる山形としておくことが好ましい。これらの形状としておけば、金型に強度の弱い箇所がなくなり、しかも軸ピン１２や軸ピン１４を取付面２４に接近させることができる。
【００２１】
なお本実施形態においては、図１１に示すように、ハンドル本体１０の上下の取付位置１９、２０の略中央に係止爪１３が配置されている。同一形状の扉２を右開き用と左開き用との両方に使用するには、箱本体１と扉２とを上下反転させるとともに、ハンドル装置は一旦取り外して上下を反転させて付け直す。このとき、係止爪１３の位置を図１１のように設定しておけば、係止爪１３が噛み合う箱本体１側の係止片４の位置は変える必要がない。このため単にハンドル装置を上下反転させるだけで、対応することが可能となる。
【００２２】
また本実施形態では、図１２に示すように、取手１１の先端部裏面には略台形の引き起こし角度規制部２１が突設されている。この引き起こし角度規制部２１は、取手１１を引き起こしたときにハンドル本体１０の裏面当接部２２と当接し、最大引き起こし角度を規制する役割を持つものである。
【００２３】
以上に説明したように、本発明のハンドル装置は、従来と同様に扉２を箱本体１に締め付けクランプすることができるものであるが、リンク機構の軸ピン１２、１４を取付面２４よりも内側に設けたことにより、美観及び安全性にも優れ、軸ピン１２、１４の端部が扉のパネルによって、抜け止めされるようにしたので、開閉動作を繰り返しても軸ピン１２、１４が抜け落ちることがなく、耐久性に優れる利点がある。
【符号の説明】
【００２４】
１  箱本体
２  扉
３  蝶番
４  箱本体の係止片
１０  ハンドル本体
１１  取手
１２  軸ピン
１３  係止爪
１４  軸ピン
１５  リンクプレート
１７  リンクピン
１８  リンクピン
１９  取付位置
２０  取付位置
２１  引き起こし角度規制部
２２  裏面当接部
２３  扉のパネル
２４  取付面
２５  軸孔
【図１】
2013159901.tif 000003
【図２】
2013159901.tif 000004
【図３】
2013159901.tif 000005
【図４】
2013159901.tif 000006
【図５】
2013159901.tif 000007
【図６】
2013159901.tif 000008
【図７】
2013159901.tif 000009
【図８】
2013159901.tif 000010
【図９】
2013159901.tif 000011
【図１０】
2013159901.tif 000012
【図１１】
2013159901.tif 000013
【図１２】
2013159901.tif 000014